(57)【特許請求の範囲】
【請求項１】
設置対象部に設置されて湯水を吐水する吐水装置であって、
前記設置対象部の表側に突出して設けられて吐水口を有した吐水部材と、
前記設置対象部の裏側で給水管に接続されるベース部材と、
前記設置対象部の表側から前記ベース部材に締結することで前記吐水部材を前記ベース部材に接続する締結部材と、
前記吐水部材に固定されて前記ベース部材に挿入されるシャフトと、
前記吐水部材の基端部と前記設置対象部との隙間を覆うカバー部材と、を備え、
前記吐水部材の基端部には、ドーナツ状の底面部と、前記底面部を上下に貫通する円筒部と、が形成され、前記円筒部の外側に前記締結部材が配置されるとともに、前記カバー部材によって前記設置対象部と前記底面部との隙間および前記締結部材が覆われ、
前記ベース部材と前記締結部材とが前記設置対象部の表面よりも奥側にて締結されるとともに、前記円筒部と前記シャフトとが固着具で固着されることによって前記吐水部材が該ベース部材に接続されることを特徴とする吐水装置。
【請求項２】
前記設置対象部には、表側から裏側まで貫通する貫通孔が設けられており、
前記ベース部材は、前記設置対象部の裏面から前記貫通孔に挿入される第一締結部と、前記設置対象部の裏面に当接する第一当接部と、を有して形成され、
前記締結部材は、前記設置対象部の表面から前記貫通孔に挿入される第二締結部と、前記設置対象部の表面に当接する第二当接部と、を有して形成され、
前記第一締結部と前記第二締結部とが前記貫通孔の内部で締結され、この締結によって前記第一当接部と前記第二当接部とで前記設置対象部を挟持することを特徴とする請求項１に記載の吐水装置。
【請求項３】
前記締結部材には、前記カバー部材を固定する固定部が設けられていることを特徴とする請求項１又は２に記載の吐水装置。
【請求項４】
設置対象部に設置されて湯水を吐水する吐水装置であって、
前記設置対象部の表側に突出して設けられて吐水口を有した吐水部材と、
前記設置対象部の裏側で給水管に接続されるベース部材と、
前記設置対象部の表側から前記ベース部材に締結することで前記吐水部材を前記ベース部材に接続する締結部材と、を備え、
前記ベース部材と前記締結部材とが前記設置対象部の表面よりも奥側にて締結され、この締結によって前記吐水部材が該ベース部材に接続され、
前記吐水部材に固定されて前記ベース部材に挿入されるシャフトをさらに備え、
前記締結部材には、前記シャフトを係止して前記ベース部材から抜け止めする抜け止め部と、前記ベース部材に締結する際に工具を掛けるための工具掛け部と、該工具掛け部の一部を切り欠いた切欠き部と、が設けられ、
前記切欠き部を挿通する固着具によって前記吐水部材と前記シャフトとが固定されていることを特徴とする吐水装置。
【発明の詳細な説明】
【技術分野】
【０００１】
本発明は、湯水を吐水する吐水装置に関する。
【背景技術】
【０００２】
従来、浴室や洗面台、キッチン等に設置されて湯水を吐水する吐水装置として、カウンター等の設置対象部の表面から突出して設けられる吐水部材を備えたものが利用されている（例えば、特許文献１、２参照）。特許文献１に記載された吐水装置（埋込式水栓）は、設置対象部の裏側（下側）に設けられる水栓本体と、この水栓本体から供給される湯水を吐水する吐水部材（吐水口）と、を備えて構成されている。水栓本体には、設置対象部を裏側から表側に向かって貫通する接続筒が設けられ、この接続筒にカウンターの表側からナットが螺合することで、水栓本体が設置対象部に固定されている。また、接続筒には、取付金具が回転自在に挿入され、この取付金具に吐水部材が固定されるとともに、吐水部材によってナットが覆われるようになっている。
【０００３】
特許文献２に記載された吐水装置（水栓）は、浴槽の上縁部（設置対象部）に設置されるもので、設置対象部の裏側に設けられる水栓本体と、水栓本体に回転自在に取り付けられる回転軸と、回転軸にビスで固定される吐水部材（吐水部）と、を備えて構成されている。水栓本体には、設置対象部を裏側から表側に向かって貫通する上端部が形成され、この上端部に表側から固定ナットが螺合することで、水栓本体が設置対象部に固定されている。また、吐水部材は、回転軸を水栓本体の上端部に挿入するとともに、固定ナットの上側に重ねて取り付けられている。
【先行技術文献】
【特許文献】
【０００４】
【特許文献１】特開２００５−３３６７５８号公報
【特許文献２】特開２０１０−２２９６８６号公報
【発明の概要】
【発明が解決しようとする課題】
【０００５】
しかしながら、特許文献１、２に記載されたような従来の吐水装置では、水栓本体から延びる接続筒や上端部が設置対象部を裏側から表側に向かって貫通し、表側に突出した接続筒などにナットが螺合するような固定構造になっている。このような固定構造の場合、設置対象部の表側において接続筒などにナットを螺合するために必要な締結高さを確保しなければならず、この締結高さの分だけ吐水部材の取付位置が高くなってしまう。このため従来の吐水装置では、吐水部材の形状や位置の制約を受け、設計自由度が制限されるという不都合が生じる。
【０００６】
本発明の目的は、吐水部材の形状や取付位置の制約を減少させることができ設計自由度を高めることができる吐水装置を提供することにある。
【課題を解決するための手段】
【０００７】
本発明の吐水装置は、設置対象部に設置されて湯水を吐水する吐水装置であって、前記設置対象部の表側に突出して設けられて吐水口を有した吐水部材と、前記設置対象部の裏側で給水管に接続されるベース部材と、前記設置対象部の表側から前記ベース部材に締結することで前記吐水部材を前記ベース部材に接続する締結部材と、前記吐水部材に固定されて前記ベース部材に挿入されるシャフトと、前記吐水部材の基端部と前記設置対象部との隙間を覆うカバー部材と、を備え、前記吐水部材の基端部には、ドーナツ状の底面部と、前記底面部を上下に貫通する円筒部と、が形成され、前記円筒部の外側に前記締結部材が配置されるとともに、前記カバー部材によって前記設置対象部と前記底面部との隙間および前記締結部材が覆われ、前記ベース部材と前記締結部材とが前記設置対象部の表面よりも奥側にて締結されるとともに、前記円筒部と前記シャフトとが固着具で固着されることによって前記吐水部材が該ベース部材に接続されることを特徴とする。
【０００８】
以上のような本発明によれば、ベース部材と締結部材とが設置対象部の表面よりも奥側にて締結されることで、ベース部材と締結部材とを締結させるのに必要な締結高さを設置対象部の表面よりも外側で確保する必要がなく、その締結高さに相当する寸法分だけ、設置対象部の表面から締結部材が突出する高さを抑えることができる。従って、従来の吐水装置の固定構造と比較して、吐水部材の基端部を設置対象部の表面に近づけることができるとともに、この吐水部材の基端部側において、締結部材との干渉範囲が狭くなることから、吐水部材の形状に対する制約を減少させることができる。
【０００９】
この際、本発明の吐水装置では、前記設置対象部には、表側から裏側まで貫通する貫通孔が設けられており、前記ベース部材は、前記設置対象部の裏面から前記貫通孔に挿入される第一締結部と、前記設置対象部の裏面に当接する第一当接部と、を有して形成され、前記締結部材は、前記設置対象部の表面から前記貫通孔に挿入される第二締結部と、前記設置対象部の表面に当接する第二当接部と、を有して形成され、前記第一締結部と前記第二締結部とが前記貫通孔の内部で締結され、この締結によって前記第一当接部と前記第二当接部とで前記設置対象部を挟持することが好ましい。
【００１０】
この構成によれば、ベース部材の第一締結部と締結部材の第二締結部とが設置対象部の貫通孔の内部で締結され、この締結によってベース部材の第一当接部と締結部材の第二当接部とで設置対象部を挟持することで、ベース部材と締結部材とを互いに締結しつつ、これらを設置対象部に強固に固定することができる。
【００１３】
また、本発明の吐水装置では、前記締結部材には、前記カバー部材を固定する固定部が設けられていることが好ましい。
【００１４】
この構成によれば、吐水部材と設置対象部との隙間をカバー部材で覆うことで、吐水装置の外観を良好にして意匠性を高めることができる。さらに、カバー部材を固定する固定部が締結部材に設けられていることで、他の部材を用いなくてもカバー部材を固定することができ、部品点数を削減できるとともに、カバー部材の固定強度を高めることができる。
【００１５】
また、本発明の吐水装置は、設置対象部に設置されて湯水を吐水する吐水装置であって、前記設置対象部の表側に突出して設けられて吐水口を有した吐水部材と、前記設置対象部の裏側で給水管に接続されるベース部材と、前記設置対象部の表側から前記ベース部材に締結することで前記吐水部材を前記ベース部材に接続する締結部材と、を備え、前記ベース部材と前記締結部材とが前記設置対象部の表面よりも奥側にて締結され、この締結によって前記吐水部材が該ベース部材に接続され、前記吐水部材に固定されて前記ベース部材に挿入されるシャフトをさらに備え、前記締結部材には、前記シャフトを係止して前記ベース部材から抜け止めする抜け止め部と、前記ベース部材に締結する際に工具を掛けるための工具掛け部と、該工具掛け部の一部を切り欠いた切欠き部と、が設けられ、前記切欠き部を挿通する固着具によって前記吐水部材と前記シャフトとが固定されていることを特徴とする。
【００１６】
この構成によれば、締結部材に工具掛け部と切欠き部とが設けられ、切欠き部を挿通する固着具によって吐水部材とシャフトとが固定されることで、締結部材の工具掛け部の範囲内にて吐水部材とシャフトとを固定することができ、固着具の位置を設置対象部の表面に近づけることができる。すなわち、従来の吐水装置における固定構造では、吐水部材を回転軸に固定するビスがナットよりも上方に設けられているため、このビスによって吐水部材の基端部の形状がさらに制約を受けていた。これに対して、締結部材の工具掛け部の範囲内、すなわち吐水部材と締結部材との干渉範囲内に固着具を設けることで、固着具による吐水部材の形状に対する制約を受けないようにすることができる。
【発明の効果】
【００１７】
以上のような本発明の吐水装置によれば、設置対象部の表面に対する吐水部材の取付位置や形状の制約を減少させ、設計自由度を高めることができるとともに、吐水装置の意匠性を向上させることができる。
【図面の簡単な説明】
【００１８】
【図１】本発明の実施形態に係る浴室の一部を省略して示す斜視図である。
【図２】前記浴室に設けられる吐水装置を示す側面図である。
【図３】前記吐水装置の要部を示す断面図である。
【図４】前記吐水装置の要部を拡大して示す断面図である。
【図５】前記吐水装置の要部を分解して示す分解断面図である。
【図６】前記吐水装置におけるベース部材を示す斜視図である。
【図７】前記吐水装置における締結部材を示す斜視図である。
【発明を実施するための形態】
【００１９】
以下、本発明の実施形態を図面に基づいて説明する。本実施形態の浴室ユニット（浴室）１は、図１に示すように、それぞれ複数の壁パネル２及び天井パネル３と、洗い場床（防水パン）４、浴槽用防水パンに支持される浴槽５と、図示しない浴室出入口や窓等と、を備え、これらによって区画された浴室空間１Ａを構成するものである。壁パネル２及び天井パネル３は、それぞれ浴室空間１Ａ内部側に適宜な化粧面を有する鋼板と、この鋼板の裏面に貼付される石膏ボードと、を有した鋼板パネルで構成され、図示しない下地材（骨組）に固定されている。浴室ユニット１の内部には、浴槽５に隣り合う洗い場の端部にカウンター６と、カウンター６の近傍に吐水装置１０が設けられている。
【００２０】
吐水装置１０は、図２にも示すように、設置対象部としてのカウンター６の内部に設けられる装置本体１１と、カウンター６の上面６Ａ側から操作可能に設けられる操作部１２と、カウンター６の上面６Ａ側（表側）に突出して設けられるカウンター吐水部１３と、装置本体１１に接続されてカウンター６上方の浴室壁２Ａに設けられるハンドシャワー部１４と、を備えて構成されている。
【００２１】
装置本体１１は、給湯器などに接続された給湯配管及び給水配管にそれぞれ接続される流量調節栓２１と、流量調節栓２１から延びる湯用配管及び水用配管に接続される混合バルブ２２と、混合バルブ２２にそれぞれ接続される第一流量調節バルブ２３及び第二流量調節バルブ２４と、混合バルブ２２、第一流量調節バルブ２３及び第二流量調節バルブ２４をカウンター６の裏面６Ｂに固定するブラケット２５と、カウンター６の裏面６Ｂ側に設けられてカウンター吐水部１３を支持するベース部材２６と、を有して構成されている。第一流量調節バルブ２３とベース部材２６とは、第一給水管２７によって接続され、第二流量調節バルブ２４とハンドシャワー部１４とは、第二給水管２８によって接続されている。
【００２２】
操作部１２は、混合バルブ２２における湯水の割合を変更して湯温を調節する湯温調節操作部１２Ａと、第一流量調節バルブ２３を通過する湯水の流量を調節する第一流量調節操作部１２Ｂと、第二流量調節バルブ２４を通過する湯水の流量を調節する第二流量調節操作部１２Ｃと、を有して構成されている。これらの各操作部１２Ａ，１２Ｂ，１２Ｃは、それぞれカウンター６の上面６Ａから突没自在に設けられるとともに、図示しないベースに回転自在に支持されている。そして、第一流量調節操作部１２Ｂを吐水側に回転操作することで、第一給水管２７から送られた湯水がカウンター吐水部１３から吐水され、第二流量調節操作部１２Ｃを吐水側に回転操作することで、第二給水管２８から送られた湯水がハンドシャワー部１４から吐水されるようになっている。
【００２３】
以下、カウンター吐水部１３の構造を図３〜７を参照して詳しく説明する。カウンター吐水部１３は、カウンター６の上面６Ａ側に突出して設けられて吐水口３１Ａを有した吐水部材３１と、カウンター６の裏面６Ｂ側に設けられて第一給水管２７に接続される前記ベース部材２６と、カウンター６の上面６Ａ側からベース部材２６に締結する締結部材としての固定ナット３２と、吐水部材３１の基端部（下端部）に固定されてベース部材２６に挿入されるシャフト３３と、吐水部材３１の基端部とカウンター６の上面６Ａとの隙間を覆うカバー部材３４と、を備えて構成されている。また、吐水部材３１とシャフト３３とは、固着具としてのビス（イモネジ）３５で固定され、吐水部材３１の基端部と固定ナット３２との間には、樹脂製の摺動ワッシャ３６が設けられている。また、カウンター６には、上面６Ａから裏面６Ｂまで貫通する貫通孔６Ｃ（図５参照）が形成されている。
【００２４】
吐水部材３１は、全体中空筒状の金属鋳造製であり、カウンター６側の基端部から上方に向かって湾曲しつつ延び、中間部分から側方に向かいつつ先端部が若干下方に傾斜して形成されるとともに、円筒形の基端部から先端部に向かって厚み寸法が徐々に小さくなり、先端部にて左右に長い扁平な長円筒形の断面形状を有して形成されている。吐水部材３１の基端部には、ドーナツ状の底面部３１１と、底面部３１１を上下に貫通する円筒部３１２と、が形成されている。吐水部材３１の先端部には、吐水口３１Ａの内部に整流部材３１３が取り付けられている。円筒部３１２の下端縁には、摺動ワッシャ３６に当接する段付き部３１４が形成され、円筒部３１２の中間部には、ビス３５を挿通させる挿通孔３１５が形成されている。
【００２５】
ベース部材２６は、図６にも示すように、全体管状の金属部材であって、上下に延びる円筒部２６１と、この円筒部２６１の下端部に連続して第一給水管２７が接続される給水管接続部２６２と、円筒部２６１の上端部側外周面にねじ切りされた雄ねじ部２６３と、円筒部２６１の中間部から径方向外方に延びるフランジ部２６４と、フランジ部２６４からさらに外方に延出してブラケット２５に固定される固定部２６５と、を有して形成されている。フランジ部２６４は、図４に示すように、カウンター６の裏面６Ｂに当接可能に構成され、このフランジ部２６４によって第一当接部が構成されている。また、円筒部２６１のうち、フランジ部２６４よりも上方に延びる上部円筒部２６１Ａは、カウンター６の裏面６Ｂ側から貫通孔６Ｃに挿入され、この上部円筒部２６１Ａによって、第一締結部が構成されている。また、円筒部２６１の下端部内周面には、シャフト３３の回転角度を規制する回転規制部２６６が形成されている。
【００２６】
固定ナット３２は、図７にも示すように、全体筒状の金属部材であって、上下に延びてベース部材２６の上部円筒部２６１Ａよりも大径な円筒部３２１と、この円筒部３２１の上端部から径方向外方に延びるフランジ部３２２と、フランジ部３２２よりも上方に延びる外形が多角形状の工具掛け部３２３と、を有して形成されている。円筒部３２１の内周面には、ベース部材２６の雄ねじ部２６３と螺合する雌ねじ部３２４が形成され、円筒部３２１の上端部内周面には、径方向内方に突出してシャフト３３を抜け止めする抜け止め部３２５が形成されている。工具掛け部３２３の一部には、ビス３５を挿通させる切欠き部３２６が形成され、フランジ部３２２の外周には、カバー部材３４を螺合させて固定する固定部３２７が形成されている。また、フランジ部３２２は、図４に示すように、カウンター６の表面６Ａに当接可能に構成され、このフランジ部３２２によって第二当接部が構成されている。円筒部３２１は、カウンター６の表面６Ａ側から貫通孔６Ｃに挿入され、この円筒部３２１によって、第二締結部が構成されている。
【００２７】
シャフト３３は、全体管状の金属部材であって、上下に延びてベース部材２６の円筒部２６１に挿入される下側円筒部３３１と、下側円筒部３３１に連続して上方に延びて吐水部材３１の円筒部３１２に挿入される上側円筒部３３２と、下側円筒部３３１の下端部から下方に突出した半円弧状の被規制部３３３と、を有して形成されている。下側円筒部３３１の外周面には、ベース部材２６の円筒部２６１の内周面に密接する上下二段のＯリング３３４が設けられ、上側円筒部３３２の上端部側外周面には、吐水部材３１の円筒部３１２の内周面に密接するＯリング３３５が設けられている。また、上側円筒部３３２の外周面には、ビス３５が螺合するための凹部３３６が設けられている。このシャフト３３は、下側円筒部３３１がベース部材２６の円筒部２６１に挿入されることで回転自在に支持されるとともに、被規制部３３３が回転規制部２６６に当接することで所定角度以内に回転角度が規制されている。また、シャフト３３は、下側円筒部３３１の上端部が固定ナット３２の抜け止め部３２５に当接することで、上方への移動が規制されてベース部材２６から抜けないようになっている。
【００２８】
カバー部材３４は、全体円環状の金属部材であって、吐水部材３１の先端部から基端部に向かって挿通されて取り付けられ、吐水部材３１の基端部とカウンター６の上面６Ａとの隙間を覆い、固定ナット３２やビス３５が外部から視認されないように隠蔽するものである。このカバー部材３４は、その下端部内周面にねじ山が切られており、このねじ山を固定ナット３２の固定部３２７に螺合させることで、固定ナット３２に固定されるようになっている。
【００２９】
次に、カウンター吐水部１３の取付手順を説明する。先ず、カウンター吐水部１３のうち、ベース部材２６は、装置本体１１及び操作部１２とともにカウンター６に固定されている。このカウンター６は、工場等において装置本体１１及び操作部１２を組み付けた状態で出荷され、浴室ユニット１の建込みの際に壁パネル３に固定されるとともに、流量調節栓２１に給湯配管及び給水配管が接続され、第二流量調節バルブ２４とハンドシャワー部１４とが接続される。このように浴室ユニット１内部にカウンター６が固定された状態において、ベース部材２６は、カウンター６の裏面６Ｂ側に固定されるとともに、上部円筒部２６１Ａがカウンター６の貫通孔６Ｃに挿入されている。ここで、上部円筒部２６１Ａの長さは、カウンター６の板厚よりも小さくなっているため、上部円筒部２６１Ａの先端がカウンター６の上面６Ａから突出せず、カウンター６の搬送や設置の作業性向上が図られている。
【００３０】
次に、カウンター吐水部１３の吐水部材３１、固定ナット３２、シャフト３３及びカバー部材３４をベース部材２６に接続してカウンター６に取り付ける。ここでは、先ず、図５に示すように、シャフト３３の上側円筒部３３２を固定ナット３２に挿通させてから、この上側円筒部３３２を吐水部材３１の円筒部３１２に挿入し、固定ナット３２の切欠き部３２６を介してビス３５を吐水部材３１の挿通孔３１５に挿通させ、このビス３５をシャフト３３の凹部３３６に螺合させ、これにより吐水部材３１とシャフト３３とを固定する。このように吐水部材３１とシャフト３３とが固定されることで、固定ナット３２の抜け止め部３２５は、シャフト３３の下側円筒部３３１の上端部と、吐水部材３１の段付き部３１４及び摺動ワッシャ３６と、の間に挟まれる形で位置することとなり、吐水部材３１及びシャフト３３から固定ナット３２が外れないようになっている。
【００３１】
次に、組み立てた状態の吐水部材３１、固定ナット３２及びシャフト３３をカウンター６の上方に位置させ、シャフト３３の下側円筒部３３１をカウンター６の上面６Ａ側からベース部材２６の円筒部２６１に挿入する。これに続いて、固定ナット３２の円筒部３２１をカウンター６の貫通孔６Ｃにカウンター６の上面６Ａ側から挿入するとともに、雌ねじ部３２４をベース部材２６の雄ねじ部２６３に螺合させる。この際、固定ナット３２の工具掛け部３２３にレンチ等の工具を掛けて固定ナット３２を回転させて雌ねじ部３２４と雄ねじ部２６３とを強く螺合させ、これにより固定ナット３２の円筒部３２１とベース部材２６の上部円筒部２６１Ａとを締結させる。また、雌ねじ部３２４と雄ねじ部２６３とを螺合させることで、固定ナット３２のフランジ部３２２とベース部材２６のフランジ部２６４とでカウンター６を上下から挟持し、カウンター吐水部１３がカウンター６に対して強固に固定される。
【００３２】
次に、カバー部材３４を吐水部材３１に挿通させてから、固定ナット３２の固定部３２７に螺合させることで、カバー部材３４を固定ナット３２に固定し、このカバー部材３４で吐水部材３１の基端部とカウンター６の上面６Ａとの隙間を覆う。以上によりカウンター６に対するカウンター吐水部１３の取り付けが完了する。
【００３３】
このような本実施形態によれば、以下のような効果がある。すなわち、ベース部材２６の上部円筒部２６１Ａと固定ナット３２の円筒部３２１とがカウンター６の上面６Ａよりも奥側である貫通孔６Ｃの内部で締結されることで、カウンター６の上面６Ａから突出する固定ナット３２の高さを抑えることができる。従って、吐水部材３１の基端部をカウンター６の上面６Ａに近づけることができるとともに、この吐水部材３１の基端部側において、固定ナット３２との干渉範囲が狭くなることから、吐水部材３１の形状に対する制約を減少させることができる。さらに、ベース部材２６の上部円筒部２６１Ａと固定ナット３２の円筒部３２１とが貫通孔６Ｃの内部で締結され、この締結によってベース部材２６及び固定ナット３２のフランジ部２６４，３２２間にカウンター６を挟持することで、カウンター吐水部１３の固定強度を高めることができる。
【００３４】
また、固定ナット３２の工具掛け部３２３に切欠き部３２６が設けられ、切欠き部３２６を挿通するビス３５によって吐水部材３１とシャフト３３とが固定されることで、工具掛け部３２３の高さ範囲内にて吐水部材３１とシャフト３３とを固定することができ、ビス３５の位置をカウンター６の上面６Ａに近づけることができる。さらに、吐水部材３１の基端部とカウンター６の上面６Ａとの隙間をカバー部材３４で覆うことで、固定ナット３２の工具掛け部３２３やビス３５を隠蔽でき、カウンター吐水部１３の外観を良好にして意匠性を高めることができる。さらに、カバー部材３４を固定する固定部３２７が固定ナット３２のフランジ部３２２に設けられていることで、他の部材を用いなくてもカバー部材３４を固定することができ、部品点数を削減できるとともに、カバー部材３４の固定強度を高めることができる。また、吐水部材３１に固定されるシャフト３３を固定ナット３２の抜け止め部３２５が係止して抜け止めすることで、吐水部材３１及びシャフト３３の取付強度を高めることができる。
【００３５】
なお、本発明は、前記実施形態に限定されるものではなく、本発明の目的が達成できる他の構成等を含み、以下に示すような変形等も本発明に含まれる。例えば、前記実施形態では、吐水装置１０にカウンター吐水部１３及びハンドシャワー部１４が設けられていたが、本発明の吐水装置１０は、カウンター吐水部１３を備えて構成されていればよく、ハンドシャワー部１４を省略することができる。
【００３６】
また、前記実施形態では、吐水装置として、浴室のカウンター６に設けられるカウンター吐水部１３を例示したが、このような構成に限らず、本発明の吐水装置は、浴室壁面に設けられていてもよいし、浴槽のフランジ部に設けられていてもよい。また、本発明の吐水装置は、浴室に設けられるものに限らず、浴槽を備えないシャワー室などに設けられてもよいし、洗面台やキッチンのシンク等に設けられてもよい。さらに、浴室としては、浴室ユニット１によって構成されるものに限らず、在来工法によって構築されるものであってもよいし、複数の吐水装置が設けられる公衆浴場などのようなものであってもよい。
【００３７】
また、前記実施形態では、カウンター吐水部１３の吐水部材３１が湾曲した曲面状に形成されていたが、これに限らず、吐水部材は、直線状のものでもよいし、複数の直線を連結したような形状を有したものでもよい。また、前記実施形態では、吐水部材３１に固定されたシャフト３３がベース部材２６に回転自在に支持された首振りタイプの吐水装置を例示したが、これに限らず、吐水装置としては、シャフトを備えずに吐水部材が回動不能にベース部材に接続されるものでもよい。
【００３８】
また、前記実施形態では、ベース部材２６の上部円筒部２６１Ａ（第一締結部）と、固定ナット３２の円筒部３２１（第二締結部）と、の締結構造において、上部円筒部２６１Ａよりも円筒部３２１の方が大径に形成されるとともに、上部円筒部２６１Ａの外周面に雄ねじ部２６３が形成され、円筒部３２１の内周面に雌ねじ部３２４が形成されていたが、このような構成に限定されない。すなわち、第一締結部が第二締結部よりも大径に形成されるとともに、第一締結部の内周面に雌ねじ部が形成され、第二締結部の外周面に雄ねじ部が形成されていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４０】
１        浴室ユニット（浴室）
６        カウンター（設置対象部）
６Ａ      上面（表面）
６Ｂ      裏面
６Ｃ      貫通孔
１０      吐水装置
２６      ベース部材
２７      第一給水管
３１      吐水部材
３１Ａ    吐水口
３２      固定ナット（締結部材）
３３      シャフト
３４      カバー部材
３５      ビス（固着具）
２６１Ａ  上部円筒部（第一締結部）
２６４    フランジ部（第一当接部）
３２１    円筒部（第二締結部）
３２２    フランジ部（第二当接部）
３２３    工具掛け部
３２５    抜け止め部
３２６    切欠き部
３２７    固定部
【図１】
0006438688.tif 000002
【図２】
0006438688.tif 000003
【図３】
0006438688.tif 000004
【図４】
0006438688.tif 000005
【図５】
0006438688.tif 000006
【図６】
0006438688.tif 000007
【図７】
0006438688.tif 000008